(57)【要約】【課題】着脱性に優れ、かつ頑丈なフェイスシールドを提供する。【解決手段】帽子の鍔部に着脱可能なフェイスシールド１は、所定の厚さを有し、正面視した際の形状が矩形状であるシールド部１０と、シールド部１０の厚さよりも大きい厚さを有し、シールド部１０の上縁部に重なるように固定されたフレーム部２０と、フレーム部２０から曲げられており、留め具によって鍔部と共に挟持されて鍔部に取り付けられる曲げ部３０とを備える。【選択図】図１
0003227254.tif 000002
【実用新案登録請求の範囲】
【請求項１】
帽子の鍔部に着脱可能なフェイスシールドであって、
所定の厚さを有し、正面視した際の形状が矩形状であるシールド部と、
前記シールド部の厚さよりも大きい厚さを有し、前記シールド部の上縁部に重なるように固定されたフレーム部と、
前記フレーム部から曲げられており、留め具によって前記鍔部と共に挟持されて前記鍔部に取り付けられる曲げ部と、
を備える、フェイスシールド。
【請求項２】
前記シールド部及び前記フレーム部は、左端側から右端側へ亘って同じ撓み形状となっている、
請求項１に記載のフェイスシールド。
【請求項３】
前記曲げ部の下面に設けられ、前記留め具の位置ずれを防止するために前記留め具が係合可能な係合凹部を更に備える、
請求項１又は２に記載のフェイスシールド。
【請求項４】
前記係合凹部は、前記曲げ部の左右方向における中央部および両端部にそれぞれ設けられている、
請求項３に記載のフェイスシールド。
【請求項５】
前記シールド部において前記フレーム部に隣接する位置に貫通するように設けられた通気孔を更に備える、
請求項１から４のいずれか１項に記載のフェイスシールド。
【考案の詳細な説明】
【技術分野】
【０００１】
本考案は、飛沫や埃等から顔を防護するフェイスシールドに関する。
【背景技術】
【０００２】
下記の特許文献１には、顔の防護や保湿のために、作業用ヘルメットに着脱可能なフェイスガードが開示されている。当該フェイスガードは、布製であり、ヘルメットの後頭部にマジックテープで装着される。また、当該フェイスガードは、作業者の顔を覆っており、顔の前面部で開閉可能となっている。
【先行技術文献】
【特許文献】
【０００３】
【特許文献１】特開２００７−１３１９９７号公報
【考案の概要】
【考案が解決しようとする課題】
【０００４】
しかし、上記のフェイスガードは、布製であるため、頑丈ではなく、形状を保持し難い。また、上記のフェイスガードを装着するためには、作業者の顔の前面部でマジックテープ（登録商標）同士を装着させる必要があり、着脱性に適しているとは言えない。
【０００５】
そこで、本考案はこれらの点に鑑みてなされたものであり、着脱性に優れ、かつ頑丈なフェイスシールドを提供することを目的とする。
【課題を解決するための手段】
【０００６】
本考案の一の態様においては、帽子の鍔部に着脱可能なフェイスシールドであって、所定の厚さを有し、正面視した際の形状が矩形状であるシールド部と、前記シールド部の厚さよりも大きい厚さを有し、前記シールド部の上縁部に重なるように固定されたフレーム部と、前記フレーム部から曲げられており、留め具によって前記鍔部と共に挟持されて前記鍔部に取り付けられる曲げ部と、を備える、フェイスシールドを提供する。
【０００７】
また、前記シールド部及び前記フレーム部は、左端側から右端側へ亘って同じ撓み形状となっていることとしてもよい。
【０００８】
また、前記フェイスシールドは、前記曲げ部の下面に設けられ、前記留め具の位置ずれを防止するために前記留め具が係合可能な係合凹部を更に備えることとしてもよい。
【０００９】
また、前記係合凹部は、前記曲げ部の左右方向における中央部および両端部にそれぞれ設けられていることとしてもよい。
【００１０】
また、前記フェイスシールドは、前記シールド部において前記フレーム部に隣接する位置に貫通するように設けられた通気孔を更に備えることとしてもよい。
【考案の効果】
【００１１】
本考案によれば、着脱性に優れ、かつ頑丈なフェイスシールドを提供できるという効果を奏する。
【図面の簡単な説明】
【００１２】
【図１】一の実施形態に係るフェイスシールド１を示す斜視図である。
【図２】フェイスシールド１の取り付け状態の一例を説明するための図である。
【図３】フェイスシールド１の正面図である。
【図４】フェイスシールド１の背面図である。
【図５】フェイスシールド１の側面図である。
【図６】フェイスシールド１の平面図である。
【図７】フェイスシールド１の底面図である。
【図８】図６のＡ−Ａ断面の一部を示す図である。
【考案を実施するための形態】
【００１３】
＜フェイスシールドの概要＞
本考案の一の実施形態に係るフェイスシールドの概要について、図１及び図２を参照しながら説明する。
【００１４】
図１は、一の実施形態に係るフェイスシールド１を示す斜視図である。図２は、フェイスシールド１の取り付け状態の一例を説明するための図である。
【００１５】
フェイスシールド１は、飛沫や埃等から、使用者の顔を防護するためのものである。フェイスシールド１は、左右対称の形状となっており、使用者の顔の前面部を覆うことが可能となっている。
【００１６】
フェイスシールド１は、図２に示すように、帽子９０の鍔部９２に着脱可能な構成となっている。フェイスシールド１は、留め具９５ａ〜９５ｃによって鍔部９２に取り付けられている。留め具９５ａ〜９５ｃは、例えば樹脂製のクリップである。留め具９５ａ〜９５ｃは、フェイスシールド１と鍔部９２を挟持することで、フェイスシールド１を鍔部９２に対して固定する。なお、上記では留め具が３つであることとしたが、これに限定されず、例えば、留め具は２つ又は４つ以上であってもよい。
【００１７】
フェイスシールド１は、使用者が帽子９０を頭に被る前に、鍔部９２に装着される。このため、使用者は、フェイスシールド１を鍔部９２に装着しやすい。また、作業者は、フェイスシールド１が装着された帽子９０を頭に被るだけでよいので、取り付け位置の調整が不要となる。
【００１８】
なお、図２では、帽子９０としてキャップが示されているが、フェイスシールド１は、ヘルメット（例えば、作業用ヘルメット）の鍔部にも同様に着脱可能となっている。この場合、フェイスシールド１の作業用ヘルメットへの取り付け状態が安定するため、作業用ヘルメットを被った作業者の作業性が低下することを防止できる。このように、フェイスシールド１は、鍔部を有する様々な種類の帽子に取り付け可能となっている。
【００１９】
＜フェイスシールドの詳細構成＞
フェイスシールド１の構成の一例について、図３〜図８を参照しながら説明する。
【００２０】
図３は、フェイスシールド１の正面図である。図４は、フェイスシールド１の背面図である。図５は、フェイスシールド１の側面図である。図６は、フェイスシールド１の平面図である。図７は、フェイスシールド１の底面図である。図８は、図６のＡ−Ａ断面の一部を示す図である。
【００２１】
フェイスシールド１は、シールド部１０と、フレーム部２０と、曲げ部３０と、エンボス３５と、通気孔４０とを有する。
【００２２】
シールド部１０は、頑丈な樹脂素材から成る。例えば、シールド部１０は、ポリカーボネイト素材から成る。また、シールド部１０は、透明である。このため、フェイスシールド１を装着しても使用者の視野を妨げない。
【００２３】
シールド部１０は、所定の厚さを有する。シールド部１０は、一定の厚さの板を湾曲した形状となっている。シールド部１０は、図３に示すように、正面視した際の形状が矩形状である。シールド部１０は、正面視した際に、左右対称の形状となっている。
【００２４】
フレーム部２０は、シールド部１０の前面側に配置されている。フレーム部２０も、シールド部１０と同様に、左右対称の形状となっている。フレーム部２０は、例えばスチール製のフレームである。また、フレーム部２０の厚さは、シールド部１０の厚さよりも大きい。このため、フレーム部２０は、軽量でありつつ、高剛性を有する。
【００２５】
フレーム部２０は、シールド部１０の上縁部に重なるように固定されている。例えば、フレーム部２０は、固定部材（不図示）によって、シールド部１０と固定されている。フレーム部２０には、固定部材が挿通する固定穴２２、２４が設けられている。図３に示すように、固定穴２２はフレーム部２０の中央部に設けられ、固定穴２４のフレーム部２０の両端部に設けられている。シールド部１０にも、固定部材が挿通する固定穴１２、１４が設けられている。固定穴１２は、固定穴２２に重なる位置に設けられ、固定穴１４は、固定穴２４に重なる位置に設けられている。
【００２６】
シールド部１０及びフレーム部２０は、左端側から右端側へ亘って同じ撓み形状となっている（図１及び図６参照）。フレーム部２０が撓み形状となっていることで、フレーム部２０の剛性を高められる。また、フレーム部２０に密接しているシールド部１０も、撓み形状を保持しやすくなる。
【００２７】
曲げ部３０は、フレーム部２０から曲げられた部分である。曲げ部３０は、フレーム部２０に対して直角に曲げられている。曲げ部３０は、ここでは、シールド部１０の上縁とほぼ同じ位置に位置している。
【００２８】
曲げ部３０は、フェイスシールド１が帽子９０に取り付けられた際に、帽子９０の鍔部９２の下面に接する（図２参照）。ここでは、曲げ部３０は、留め具９５ａ〜９５ｃによって鍔部９２と共に挟持されて、鍔部９２に取り付けられる。
【００２９】
エンボス３５は、曲げ部３０にエンボス加工された部分であり、細長い形状を成している。エンボス３５は、図６に示すように、曲げ部３０の複数の箇所に設けられている。すなわち、エンボス３５は、曲げ部３０の左右方向における中央部および両端部にそれぞれ設けられている。具体的には、曲げ部３０の中央部に一つのエンボス３５が設けられ、曲げ部３０の両端部に、それぞれ二つのエンボス３５が設けられている。５つのエンボス３５は、同じ形状を成している。
【００３０】
エンボス３５は、図８に示すように、曲げ部３０の上面３１ａに形成れた凸部３５ａと、曲げ部３０の下面３１ｂに形成された凹部３５ｂとを有する。
凸部３５ａは、上面３１ａから上方へ突出している。凸部３５ａは、フェイスシールド１が帽子９０に取り付けられた際に、鍔部９２の下面と接触する。
【００３１】
凹部３５ｂは、下面３１ｂから窪んでいる。凹部３５ｂは、留め具９５ａ〜９５ｃと係合可能な係合凹部である。すなわち、凹部３５ｂは、曲げ部３０と帽子９０の鍔部９２とを共に挟持している留め具９５ａ〜９５ｃと係合する（図２参照）。このように凹部３５ｂが留め具９５ａ〜９５ｃと係合することで、留め具９５ａ〜９５ｃの位置ずれを防止できる。
【００３２】
通気孔４０は、シールド部１０に設けられた貫通孔であり、空気の流れを促す。通気孔４０は、図３に示すように、シールド部１０においてフレーム部２０に隣接する位置に貫通するように設けられている。通気孔４０は、ここでは細長い長孔であり、シールド部１０に２箇所設けられている。通気孔４０を設けることによって、使用者がフェイスシールド１を帽子９０に装着して使用する際に、シールド部１０が曇ることを抑制できる。
【００３３】
＜フェイスシールドの取り付け例＞
フェイスシールド１の帽子９０への取り付け手順について説明する。ここでは、帽子９０が、図２に示すキャップであるものとする。帽子９０が作業用ヘルメットである場合でも、同様な手順でフェイスシールド１が取り付けられる。
【００３４】
まず、使用者は、帽子９０の鍔部９２を平らに伸ばす。次に、使用者は、留め具９５ａ（図２）であるクリップを広げた後、帽子９０の鍔部９２に装着する。すなわち、鍔部９２の中央部に、留め具９５ａが装着される。
【００３５】
次に、使用者は、フェイスシールド１の曲げ部３０を、留め具９５ａを押し込む。これにより、留め具９５ａは、曲げ部３０の中央部と鍔部９２の中央部とを挟持することになる。この際、留め具９５ａは、曲げ部３０の凹部３５ｂと係合する。これにより、留め具９５ａが位置ずれしない。
【００３６】
次に、使用者は、曲げ部３０が鍔部９２に接した状態で、留め具９５ｂ、９５ｃ（図２）を取り付ける。すなわち、図２に示すように、留め具９５ｂが、曲げ部３０の一端部と鍔部９２の一端部とを挟持するように取り付けられ、留め具９５ｃが、曲げ部３０の他端部と鍔部９２の他端部とを挟持するように取り付けられる。
【００３７】
次に、使用者は、留め具９５ａ〜９５ｃを指で潰して、留め具９５ａ〜９５ｃの締め付けを行う。これにより、フェイスシールド１が鍔部９２に強固に保持される。以上により、フェイスシールド１の帽子９０への取り付けが完了する。
【００３８】
なお、３つの留め具９５ａ〜９５ｃを広げて取り外すことで、フェイスシールド１を帽子９０から取り外せる。このため、フェイスシールド１を帽子９０に繰り返し取り付けることができる。
【００３９】
＜本実施形態における効果＞
上述した実施形態のフェイスシールド１は、シールド部１０よりも厚く、シールド部１０の上縁部に重なるように固定されたフレーム部２０と、フレーム部２０から曲げられた曲げ部３０とを有する。曲げ部３０は、留め具９５ａ〜９５ｃによって帽子９０の鍔部９２と共に挟持されて鍔部９２に取り付けられる。
これにより、剛性の高いフレーム部２０にシールド部１０が重なって固定されているため、シールド部１０の剛性を高められる。また、フレーム部２０と鍔部９２を挟持するようにフェイスシールド１を取り付けることで、取り付け状態が安定する。さらに、作業者が帽子９０を被っていない状態で、留め具９５ａ〜９５ｃの着脱によってフェイスシールド１の着脱を行えるので、着脱性に優れている。
【００４０】
以上、本考案を実施の形態を用いて説明したが、本考案の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本考案の実施の形態に含まれる。組み合わせによって生じる新たな実施の形態の効果は、もとの実施の形態の効果を併せ持つ。
【符号の説明】
【００４１】
１    フェイスシールド
１０    シールド部
２０    フレーム部
３０    曲げ部
３５    エンボス
３５ａ    凸部
３５ｂ    凹部
４０    通気孔
９０    帽子
９２    鍔部
９５ａ、９５ｂ、９５ｃ    留め具
【図１】
0003227254.tif 000003
【図２】
0003227254.tif 000004
【図３】
0003227254.tif 000005
【図４】
0003227254.tif 000006
【図５】
0003227254.tif 000007
【図６】
0003227254.tif 000008
【図７】
0003227254.tif 000009
【図８】
0003227254.tif 000010